(57)【特許請求の範囲】
【請求項１】
建具の扉の一側壁に支持部材を介して横方向に設けられ、かつ、手摺り機能を有する棒状固定ガイドと、この棒状固定ガイドに摺動自在に設けられ、かつ、該棒状固定ガイドの一端部側から長手方向に進退動して固定枠体側の受け具に係脱可能なロック棒部材と、扉の自由端部に取付けられる錠前とから成り、前記錠前の操作部材を操作すると、該操作部材と前記ロック棒部材との間に介在する動力伝達手段を介してロック棒部材が受け具に係脱することを特徴とする建具の扉用閂錠装置。
【請求項２】
請求項１に於いて、操作部材は、扉の内壁側のサムターン摘みであることを特徴とする建具の扉用閂錠装置。
【請求項３】
請求項１に於いて、棒状固定ガイドは、扉の内壁の左右端部にそれぞれ固定された一組の支持部材に架設された長杆状の手摺りであることを特徴とする建具の扉用閂錠装置。
【請求項４】
請求項１乃至請求項３のいずれかに於いて、扉の自由端部の支持部材は、棒状固定ガイドと直交する垂直方向の錠前用の長座と、該長座の外側に一体的に設けられた支持部材本体とから成ることを特徴とする建具の扉用閂錠装置。
【請求項５】
請求項１に於いて、動力伝達手段は、扉の自由端部の支持部材内に組み込まれた複数個の部品であり、複数個の部品は、縦方向のラックと、このラックにそれぞれ噛合する上下の伝動歯車と、一方の伝動歯車を介して回転する噛合片と、該噛合片と一緒に回転すると共に、ロック棒部材の被係合部に係合する係合腕であることを特徴とする建具の扉用閂錠装置。
【請求項６】
請求項１に於いて、錠前は、第１の施錠片を備え、ロック棒部材は、第２の施錠片に相当することを特徴とする建具の扉用閂錠装置。
【発明の詳細な説明】
【技術分野】
【０００１】
本発明は、勝手口の扉、室内外の扉等に適合する建具の扉用閂錠装置に関する。
【背景技術】
【０００２】
特許文献１には、「扉の壁面に固定されたパイプ状固定ガイド本体と、該本体に摺動自在に嵌挿されたロック棒部材と、該ロック棒部材に操作ピンを介して設けられたノブ式の操作部と、扉用固定枠体に設けられた受け金具とから成るユニット式の扉用閂錠装置」が記載されている。
【０００３】
施錠時、上記構成の基本的操作は、操作部を摘んで本体の横溝に沿ってロック棒部材を本体から引き出して受け金具に嵌め込み、ロック棒部材を本体の周方向へ所定量回転する。このような閂錠装置は、古くから使用されている。
【０００４】
したがって、この閂錠装置は、本体と棒部材と受け金具とがワンセットになっているもので、いわゆる補助錠的なものであることから、防犯上の問題点がある。また、部品点数を少なくしたユニット式閂錠装置であって、バリヤフリー・ユニバーサルデザインを考慮したものではない。
【０００５】
特許文献２には、「例えば外ハンドルを回転操作すると、ブラケット内に位置する開閉カムが所定方向へと回転し、該回転力により、ブラケットから受け金具に係合するように閂が押し出される旨」が記載されている（段落００１９、００２０）。
【０００６】
この特許文献２に記載の開閉装置は、操作部材を回転操作すると、取付け座内に組み込んだカム機構を介して閂が直ちに施・解錠する点で優れている。しかし、この閂を備えた開閉装置は、操作部材を操作すると閂が直ちに受け金具から外れるということを目的としたものであって、特許文献１と同様に防犯性とバリヤフリー・ユニバーサルデザインの両立性を考慮してものではない。
【０００７】
近年、錠前並びに建具用扉に関して、お年寄りや障害者の方に配慮しつつ、防犯性とユニバーサルデザインの両立性を考慮した扉用閂錠装置の出現が要望されている。
【０００８】
なお、特許文献３には、室内側の操作部材（サムターン摘み）を９０度回転操作すると、「カマデッド」と称される第１の施錠片が、錠箱のフロント板から突出し、固定枠体側の受け具に係合する旨が記載されている（図１、図５）。
【特許文献１】特許公開９−１５１６４８号公報
【特許文献２】特許公開２００１−２００６６７号公報
【特許文献３】特許公開２０００−２９１３０３号公報
【発明の開示】
【発明が解決しようとする課題】
【０００９】
本発明の主たる目的は、防犯性とユニバーサルデザインの両立性を考慮した扉用閂錠装置を提案することである。第２の目的は、操作部材を回転操作すると、動力伝達手段を介してロック棒部材が受け具に確実に係脱することである。第３の目的は、十分に手摺り機能を発揮させることができることである。第４の目的は、錠前の長座と手摺り機能を有する棒状固定ガイドを支持する支持部材本体とを見栄え良く合体させることである。第５の目的は、動力伝達手段を構成する複数個の部品を合理的に組み合わせることである。第６の目的は、防犯性を高めることである。
【課題を解決するための手段】
【００１０】
本発明の建具の扉用閂錠装置は、建具の扉の一側壁に支持部材を介して横方向に設けられ、かつ、手摺り機能を有する棒状固定ガイドと、この棒状固定ガイドに摺動自在に設けられ、かつ、該棒状固定ガイドの一端部側から長手方向に進退動して固定枠体側の受け具に係脱可能なロック棒部材と、扉の自由端部に取付けられる錠前とから成り、前記錠前の操作部材を操作すると、該操作部材と前記ロック棒部材との間に介在する動力伝達手段を介してロック棒部材が受け具に係脱することを特徴とする。
【００１１】
上記構成に於いて、操作部材は、扉の内壁側のサムターン摘みであることを特徴とする。また、棒状固定ガイドは、扉の内壁の左右端部にそれぞれ固定された一組の支持部材に架設された長杆状の手摺りであることを特徴とする。また、扉の自由端部の支持部材は、棒状固定ガイドと直交する垂直方向の錠前用の長座と、該長座の外側に一体的に設けられた支持部材本体とから成ることを特徴とする。さらに、動力伝達手段は、扉の自由端部の支持部材内に組み込まれ複数個の部品であり、複数個の部品は、縦方向のラックと、このラックにそれぞれ噛合する上下の伝動歯車と、一方の伝動歯車を介して回転する噛合片と、該噛合片と一緒に回転すると共に、ロック棒部材の被係合部に係合する係合腕であることを特徴とする。加えて、錠前は、第１の施錠片を備え、ロック棒部材は、第２の施錠片に相当することを特徴とする。
【発明の効果】
【００１２】
（ａ）防犯性とユニバーサルデザインの両立性を考慮した扉用閂錠装置を提案することができる。すなわち、手摺り機能を有する棒状固定ガイドに、古くから使用されている閂（ロック棒部材）を一体的に設けたので、直接バール等から攻撃を受けない。したがって、防犯性が高まる。一方、開扉の際、棒状固定ガイドに捕まりながら、或いは握りながら、施錠片用の操作部材を操作することができるので、非常に楽である。
（ｂ）また、操作部材を回転操作すると、動力伝達手段を介してロック棒部材が受け具に確実に係脱する。具体的には、サムターンを回転操作するだけで、ロック棒部材のストロークを十分に稼ぐことができる。
（ｃ）請求項２に記載の発明は、環境如何によっては操作性、安全性が保たれる。例えば扉用閂錠装置を勝手口の扉の内壁面に取付けると、下場の段差が大きい場合、棒状固定ガイドに捕まりながら室内から室外へと扉を開くことができるので、操作性が向上すると共に、バランスを崩して転ぶような事態を未然に防止することができる。
（ｄ）請求項３に記載の発明は、棒状固定ガイドが長いから、十分に手摺り機能を発揮させることができる。
（ｅ）請求項４に記載の発明は、錠前の台座と手摺り機能を有する棒状固定ガイドを支持する支持部材本体とを見栄え良く合体させることができる。
（ｆ）請求項５に記載の発明は、動力伝達手段を構成する複数個の部品を支持部材内に合理的に配設することができる。
（ｇ）請求項６に記載の発明は、ダブルロックであることから、従来の扉用閂錠装置と比較して防犯性を高めることができる。
【発明を実施するための最良の形態】
【００１３】
以下、図１乃至図９に示す本発明を実施するための最良の形態により説明する。
【００１４】
（１）発明の実施の環境と特徴部分
図１は発明の実施の環境を示す概略説明図である。図１に於いて、Ｘは建具の扉用閂錠装置である。１は建具としての固定枠体で、この固定枠体１の縦枠２には、受け具３が固定的に設けられている。４は固定枠体１に蝶番を介して開閉自在に取付けらけれた扉で、該扉４は蝶番を備えた取付け基端部４ａに基づいて自由端部４ｂ側から水平方向に開閉する。図１では、扉４の内壁面５ａが見えており、該扉４は、例えば紙面上向こう側（裏側）へ開くことが可能である。
【００１５】
扉用閂錠装置Ｘは、扉４の内壁面５ａの略中央部に左右の支持部材６，７を介して横方向に架設された棒状固定ガイド８と、該棒状固定ガイド８の一端部側（扉４の自由端部４ｂ側）に摺動自在に嵌挿されたロック棒部材９と、扉４の自由端部４ｂに取付けた錠前Ｙとを備え、前記錠前Ｙの操作部材１０を操作すると、前記ロック棒部材９は、棒状固定ガイド８の一端部側の支持部材７に設けた動力伝達手段１１を介して固定枠体１側の受け具３に係脱する。
【００１６】
すなわち、本発明の建具の扉用閂錠装置Ｘは、建具の扉４の一側壁５ａに支持部材６，７を介して横方向に設けられ、かつ、握ることが可能な棒状固定ガイド８と、この棒状固定ガイド８に摺動自在に設けられ、かつ、該棒状固定ガイド８の一端部側から長手方向に進退動して扉用固定枠体１側の受け具３に係脱可能なロック棒部材９と、扉の自由端部４ｂに取付けられる錠前Ｙとから成り、前記錠前Ｙの操作部材１０を操作すると、該操作部材１０と前記ロック棒部材９との間に介在する動力伝達手段１１を介してロック棒部材９が受け具３に係脱する（特徴部分）。
【００１７】
（２）具体的な特徴部分
本発明は、防犯性とバリヤフリー・ユニバーサルデザインの両立性を考慮して、前記操作部材１０は、錠前Ｙのサムターン摘みであり、一方、棒状固定ガイド８は、扉４の内壁面５ａの左右端部にそれぞれ固定された一組の支持部材６，７に架設された長杆状の手摺りである（特徴部分）。
【００１８】
また、本発明は、操作性を考慮して、普通一般に使用されている回転方式のサムターン摘み１０を略９０度回転するだけで、係合腕を含む動力伝達手段１１を介してロック棒部材９が所望位置まで進出して固定枠体１，２側の受け具（留め具）３に係合するように工夫している。
【００１９】
以下、本発明の特定要件について順次説明するが、細部的な事項は図面及びその説明を割愛する。
【００２０】
（３）具体的構成
図２は扉４の自由端部４ｂの端面側から見た右側面図である。また、図３は扉４の内壁面５ａから見た主要部の拡大説明図である。また、図４は扉４の下側から見た主要部の拡大説明図である。図５は本発明を構成する各部材の概略説明図である。また、図６及び図７は動力伝達手段を構成する部品の位置関係を示す各説明図である。さらに、図８及び図９は、動力伝達手段を構成する係合腕と棒状固定ガイド側のロック棒部材との係合関係並びに作用を示す各概略説明図である。
【００２１】
そこで、まず、図２に於いて、扉４を基準にすると、１５は室内、１６は室外である。したがって、１７は扉４の内壁面５ａに装着されたサムターン装置で、該サムターン装置１７は、例えば抜き差し自在なサムターン摘み１０を有している。このサムターン装置１７の詳細説明は割愛するが、サムターン装置１７は、図６で示すように、サムターン軸１８の挿入内端部に駆動歯車１９を備えている。
【００２２】
一方、２１は扉４の外壁面５ｂに装着されたシリンダー装置で、該シリンダー装置２１は、合鍵を操作すると、公知の錠機構を介して、「鎌デット」と称される第１の施錠片２２がフロント板２３の窓部２４から出没する。もちろん、前述したサムターン摘み１０を回転操作すると、第１の施錠片２２が施錠又は解錠する。本発明では、サムターン摘み１０を回転操作すると、第１の施錠片２２のみならず、第２の施錠片としてのロック棒部材９も受け具３に対して進退動する。したがって、扉用閂錠装置Ｘは、補助的な錠前ではなく、安全性を考慮したダブルロック式の主たる錠前となっている。
【００２３】
次に、錠前Ｙは、内外の操作ハンドルを備えている。ラッチ２５は、内外の操作ハンドルをそれぞれ操作すると、公知のラッチ機構を介して、錠箱内へと後退する。
【００２４】
なお、２６は外側の操作ハンドルであり、本実施例では、該外ハンドル２６は、ハンドル軸部２６ａの軸回りに回転するＬ型レバーハンドルである。一方、室内側に設けられる内側の操作ハンドルは省略している。内側の操作ハンドルは、望ましくは、軸回りに回転する外ハンドルとは異なる種類のもの（プッシュ式ハンドル）を採用すべきである。ここでは、内ハンドルの具体的構成、取付け箇所等を記載しない。
【００２５】
（４）扉の自由端部の支持部材７
例えば図２，図３で示すように、扉４の自由端部４ｂの支持部材７は、棒状固定ガイド８と直交する垂直方向の錠前用のケース状長座３１と、該長座３１の外側に一体的に設けられた支持部材本体３２とから成る。
【００２６】
しかして、長座３１は、本実施例では、ベース部材としての取付け座であり、上端部側にサムターン装置１７を構成するサムターン座３３が固着具３４を介して適宜に固定されている。一方、支持部材本体３２は、扉４の基端部４ａ側の支持部材６と対向するように長座３１の下端部側に複数個の固着具３５を介して固定されている。
【００２７】
また、支持部材本体３２は、固定枠体１の縦枠２に位置する受け具３に対しても多少の間隙を有して対向している。したがって、支持部材本体３２は、任意形状に形成されたケース状の取付け部３２ａと、該取付け部３２ａから室内側に突出する山形状の支持部３２ｂとを有し、前記支持部３２ｂの貫通孔に棒状固定ガイド８の小径端部が嵌入している。そして、次に説明する動力伝達手段１１の複数個の部品は、扉４の自由端部４ｂの支持部材７内に適宜に組み込まれている。
【００２８】
（５）動力伝達手段１１
図６を基準にして動力伝達手段１１を説明する。本実施例の動力伝達手段１１は、長座３１内に固定的に配設された縦方向のラック４１と、このラック４１にそれぞれ噛合するように長座３１及び支持部材本体３２内にそれぞれ配設された上下の伝動歯車（ピニオン）４２，４３と、支持部材本体３２内の伝動歯車４３を介して回転する複数個の噛合片４４，４５と、該噛合片４４，４５と共働して回転すると共に、ロック棒部材９の被係合部に係合する係合腕４６とから成る。
【００２９】
しかして、前記ラック４１の下端部には、下方の伝動歯車４３に噛合するように支持部材本体３２側に突出する係合歯４１ａが設けられている。また、下方の伝動歯車４３と同軸上に垂直方向に第１の噛合片４４が配設され、該第１の噛合片４４は、周端部に突出する係合歯４４ａを有している。
【００３０】
さらに、支持部材本体３２内に斜めの状態に配設された第２の噛合片４５は、第１の噛合片４４の係合歯４４ａに係合する係合歯４５ａを有すると共に、係合腕４６の基部４６ａと合体している。そして、前記係合腕４６のアーム部４６ｂは、図８、図９で示すように、ロック棒部材９の複数個の被係合部（２個の突起）９ａ，９ｂと選択的に係合する。なお、動力伝達手段１１の各部品を軸支する軸部の説明及び符号は割愛する。
【００３１】
（６）作用
図９は、サムターン１０を回転操作した場合に於いて、動力伝達手段１１側の係合腕４６と棒状固定ガイド８側のロック棒部材９との係合関係を示す。具体的には、図９（ａ）は、サムターン１０を解錠方向へ９０度回した場合の説明図である。図９（ａ）では、動力伝達手段１１の伝動力により係合腕４６が反時計方向へと回り、ロック棒部材９が棒状固定ガイド８側に引き戻され、その結果、受け具３から外れた状態である（解錠状態）。一方、図９（ｃ）は、サムターン１０を施錠方向へ９０度回した場合の説明図である。図９（ｃ）では、動力伝達手段１１の伝動力により係合腕４６が時計方向へと回り、ロック棒部材９が棒状固定ガイド８から引き出された、その結果、受け具３の係合孔に係合した状態である（施錠状態）。したがって、図９（ｂ）は、中途の状態を示す。
【００３２】
このように、本発明の扉用閂錠装置Ｘは、室内側の操作部材１０を操作すると、手摺り機能を有する横方向の棒状固定ガイド８から閂機能を有するロック棒部材９が摺動して建具（戸枠）としての固定枠体１，２側に設けた受け具３に係脱する。
【実施例】
【００３３】
発明の実施の形態で示した実施例に於いて、特に図示しないが、ロック棒部材９を、防犯性、強靭性、部品交換性等を考慮して複数個の部品で新規な構成にすることができる。
【００３４】
例えば複数個の部品は、横方向の切欠部を有する棒状固定ガイドに固定的に内装され、かつ、前記切欠部に符合する切欠部を有する内筒体と、この内筒体に摺動自在に内装された摺動棒と、この摺動棒に固定され、かつ、動力伝達手段１１を構成する係合腕４６の先端部に選択的に係合する複数個の係合突起（被係合部）９ａ，９ｂを有する長板状の被係合片とから成るものであっても良い。
【産業上の利用可能性】
【００３５】
本発明は、主に錠前、建具業界で利用される。
【図面の簡単な説明】
【００３６】
図１乃至図９は本発明の最良の実施例を示す各説明図。
【図１】発明の実施の環境を示す概略説明図。
【図２】扉の自由端部の端面側から見た右側面図。
【図３】扉の内壁面から見た主要部の概略説明図。
【図４】扉の下側から見た主要部の概略説明図。
【図５】本発明を構成する各部材の概略説明図。
【図６】動力伝達手段を構成する部品の位置関係を示す正面からの説明図。
【図７】動力伝達手段を構成する部品の位置関係を示す左側面からの説明図。
【図８】動力伝達手段を構成する係合腕と棒状固定ガイド側のロック棒部材との係合関係を示す斜視図。
【図９】（ａ）、（ｂ）、（ｃ）作用を示す各概略説明図。
【符号の説明】
【００３７】
Ｘ…扉用閂錠装置、Ｙ…錠前、1…固定枠体、２…縦枠、３…受け具、４…扉、５ａ…内壁面、６…支持部材、７…自由端部側の支持部材、８…棒状固定ガイド、９…ロック棒部材（第２の施錠片）、９ａ，９ｂ…被係合部（２個の突起）、１０…操作部材、１１…動力伝達手段、１５…室内、１６…室外、１７…サムターン装置、１８…サムターン軸、１９…駆動歯車、２１…シリンダー装置、２２…第１の施錠片、２３…フロント板、２５…ラッチ、２６…外側の操作ハンドル、２６ａ…ハンドル軸部、３１…長座、３２…支持部材本体、３２ａ…取付け部、３２ｂ…支持部、３３…サムターン座、４１…ラック、４２…上方の伝動歯車、４３…下方の伝動歯車、４４…第１の噛合片、４５…第２の噛合片、４６…係合腕。
【図１】
0004669765.tif 000002
【図２】
0004669765.tif 000003
【図３】
0004669765.tif 000004
【図４】
0004669765.tif 000005
【図５】
0004669765.tif 000006
【図６】
0004669765.tif 000007
【図７】
0004669765.tif 000008
【図８】
0004669765.tif 000009
【図９】
0004669765.tif 000010